(57)【要約】【課題】打栓時にキャップ本体とエンドリングが離隔することなくボトルキャップをボトル本体に固定することができ、開栓時にはエンドリングを破断させてボトル本体からの離脱を容易にして、エンドリングをボトル本体と分別して回収することのできるペットボトル容器及びボトルキャップを提供する。【解決手段】ペットボトル本体の雄ねじ部と螺合する雌ねじ部が内周面に形成されるキャップ本体と、雌ねじ部の下方に配置されペットボトル本体のフランジ部と干渉する干渉部が内周面に形成されるエンドリングとが、脆弱部を介して一体に成形されているボトルキャップにおいて、エンドリングの周方向所定位置の上端側に当該エンドリングの他の部分よりも薄く形成され、ボトルキャップの開栓時に亀裂が生じる薄肉部と、薄肉部の下側に薄肉部より厚く形成され、ボトルキャップの打栓時に薄肉部に亀裂が生じることを防ぐ強度保持部と、を備えた。【選択図】図１
2013216356.tif 000002
【特許請求の範囲】
【請求項１】
円筒部と、前記円筒部の外周面に形成される雄ねじ部と、前記円筒部の外周面における前記雄ねじ部の下方に形成される上フランジ部と、前記円筒部の外周面における前記上フランジ部の下方に形成される下フランジ部と、を有するボトル本体と、
前記雄ねじ部と螺合する雌ねじ部が内周面に形成されるキャップ本体と、前記雌ねじ部の下方に配置され前記上フランジ部と干渉する干渉部が内周面に形成されるエンドリングとが、脆弱部を介して一体に成形されているボトルキャップと、を備え、
前記ボトルキャップを開栓方向に回転させると、前記キャップ本体が前記ボトル本体から離脱し、前記エンドリングが前記ボトル本体に残留するペットボトル容器において、
前記エンドリングの周方向所定位置の上端側に当該エンドリングの他の部分よりも薄く形成され、前記ボトルキャップの開栓時に亀裂が生じる薄肉部と、
前記薄肉部の下側に当該薄肉部より厚く形成され、前記ボトルキャップの打栓時に前記薄肉部に亀裂が生じることを防ぐ強度保持部と、を備え、
前記ボトルキャップの開栓時に、前記薄肉部を起点として前記エンドリングが破断するよう構成したペットボトル容器。
【請求項２】
前記脆弱部は、周方向に所定の間隔で形成され前記キャップ本体と前記エンドリングとを連結する複数の連結部を有し、
前記薄肉部付近の２つの前記連結部のうち少なくとも一方を、他の前記連結部よりも太く形成した請求項１に記載のペットボトル容器。
【請求項３】
前記薄肉部付近の２つの前記連結部のうち開栓方向側の前記連結部を、他の前記連結部と比べて最も太く形成した請求項２に記載のペットボトル容器。
【請求項４】
前記薄肉部の上端に、前記亀裂の起点となる切欠部を形成した請求項１から３のいずれか１項に記載のペットボトル容器。
【請求項５】
円筒部と、前記円筒部の外周面に形成される雄ねじ部と、前記円筒部の外周面における前記雄ねじ部の下方に形成される上フランジ部と、前記円筒部の外周面における前記上フランジ部の下方に形成される下フランジ部と、を有するボトル本体と、
前記雄ねじ部と螺合する雌ねじ部が内周面に形成されるキャップ本体と、前記雌ねじ部の下方に配置され前記上フランジ部と干渉する干渉部が内周面に形成されるエンドリングとが、脆弱部を介して一体に成形されているボトルキャップと、を備え、
前記ボトルキャップを開栓方向に回転させると、前記キャップ本体が前記ボトル本体から離脱し、前記エンドリングが前記ボトル本体に残留するペットボトル容器において、
前記エンドリングの周方向所定位置の上端側に形成され、前記ボトルキャップの開栓時に前記エンドリングに生じる亀裂の起点となる切欠部と、
前記切欠部の下側に形成され、前記ボトルキャップの打栓時に前記エンドリングに亀裂が生じることを防ぐ強度保持部と、を備え、
前記ボトルキャップの開栓時に、前記切欠を起点として前記エンドリングが破断するよう構成したペットボトル容器。
【請求項６】
ペットボトル本体の雄ねじ部と螺合する雌ねじ部が内周面に形成されるキャップ本体と、前記雌ねじ部の下方に配置され前記ペットボトル本体のフランジ部と干渉する干渉部が内周面に形成されるエンドリングとが、脆弱部を介して一体に成形されているボトルキャップにおいて、
前記エンドリングの周方向所定位置の上端側に当該エンドリングの他の部分よりも薄く形成され、前記ボトルキャップの開栓時に亀裂が生じる薄肉部と、
前記薄肉部の下側に当該薄肉部より厚く形成され、前記ボトルキャップの打栓時に前記薄肉部に亀裂が生じることを防ぐ強度保持部と、を備えたボトルキャップ。
【請求項７】
前記脆弱部は、周方向に所定の間隔で形成され前記キャップ本体と前記エンドリングとを連結する複数の連結部を有し、
前記薄肉部付近の２つの前記連結部のうち少なくとも一方を、他の前記連結部よりも太く形成した請求項６に記載のボトルキャップ。
【請求項８】
前記薄肉部付近の２つの前記連結部のうち開栓方向側の前記連結部を、他の前記連結部と比べて最も太く形成した請求項７に記載のボトルキャップ。
【請求項９】
前記薄肉部の上端に、前記亀裂の起点となる切欠部を形成した請求項６から８のいずれか１項に記載のボトルキャップ。
【請求項１０】
ボトル本体の雄ねじ部と螺合する雌ねじ部が内周面に形成されるキャップ本体と、前記雌ねじ部の下方に配置され前記ボトル本体の上フランジ部と干渉する干渉部が内周面に形成されるエンドリングとが、脆弱部を介して一体に成形され、
開栓方向に回転させると、前記キャップ本体が前記ボトル本体から離脱し、前記エンドリングが前記ボトル本体に残留するボトルキャップにおいて、
前記エンドリングの周方向所定位置の上端側に形成され、前記ボトルキャップの開栓時に前記エンドリングに生じる亀裂の起点となる切欠部と、
前記切欠部の下側に形成され、前記ボトルキャップの打栓時に前記エンドリングに亀裂が生じることを防ぐ強度保持部と、を備え、
前記ボトルキャップの開栓時に、前記切欠を起点として前記エンドリングが破断するよう構成したボトルキャップ。
【発明の詳細な説明】
【技術分野】
【０００１】
本発明は、ペットボトル容器及びボトルキャップに関する。
【背景技術】
【０００２】
近年、飲料容器として、ポリエチレンテレフタレートを主材料とするボトル本体に飲料を収容し、ポリプロピレン、ポリエチレン等を主材料とするボトルキャップにより密閉したペットボトル容器が普及している。このペットボトル容器を回収して再資源化するにあたっては、できるだけ単一素材として回収されることが望ましい。異種材料であるキャップ本体やラップフィルムについては、ボトル本体から容易に除去できることもあって、ボトル本体から取り外された状態で回収されている。
【０００３】
しかしながら、ボトルキャップには蓋が開けられた状態を確認できるようにボトル本体側に残るエンドリングが脆弱部を介して設けられている。エンドリングについては、その取り外しが極めて面倒であるため、ほとんどの場合、エンドリングを付けたままボトル本体が回収されている。
【０００４】
このような現状を考慮して、エンドリングの除去を行い易くする手工具が提案されているが、一般家庭に手工具を用意させるまでの意識を求めるのは現実性がなく、普及には至っていない。
【０００５】
また、ボトル本体またはボトルキャップの構造を工夫した提案もされている（例えば、特許文献１参照）。特許文献１に記載のペットボトル容器では、エンドリングに切り割り部を設け、開栓時にキャップ本体を離脱させた後に、ボトル本体側に残ったエンドリングを指先で開くこととしている。
【先行技術文献】
【特許文献】
【０００６】
【特許文献１】特開２００６−１７６２０４号公報
【発明の概要】
【発明が解決しようとする課題】
【０００７】
しかし、特許文献１に記載のペットボトル容器では、切り割り部がエンドリングの上下にわたって形成されているため強度不足であり、打栓時にボトルキャップが負荷に十分に抗することができず、キャップ本体とエンドリングが離隔して開栓状態となってしまう。すなわち、打栓機を使用して、ボトルキャップをボトル本体に固定することができない。
【０００８】
本発明は、前記事情に鑑みてなされたものであり、その目的とするところは、打栓時にキャップ本体とエンドリングが離隔することなくボトルキャップをボトル本体に固定することができ、開栓時にはエンドリングを破断させてボトル本体からの離脱を容易にして、エンドリングをボトル本体と分別して回収することのできるペットボトル容器及びボトルキャップを提供することにある。
【課題を解決するための手段】
【０００９】
本発明では、
円筒部と、前記円筒部の外周面に形成される雄ねじ部と、前記円筒部の外周面における前記雄ねじ部の下方に形成される上フランジ部と、前記円筒部の外周面における前記上フランジ部の下方に形成される下フランジ部と、を有するボトル本体と、
前記雄ねじ部と螺合する雌ねじ部が内周面に形成されるキャップ本体と、前記雌ねじ部の下方に配置され前記上フランジ部と干渉する干渉部が内周面に形成されるエンドリングとが、脆弱部を介して一体に成形されているボトルキャップと、を備え、
前記ボトルキャップを開栓方向に回転させると、前記キャップ本体が前記ボトル本体から離脱し、前記エンドリングが前記ボトル本体に残留するペットボトル容器において、
前記エンドリングの周方向所定位置の上端側に当該エンドリングの他の部分よりも薄く形成され、前記ボトルキャップの開栓時に亀裂が生じる薄肉部と、
前記薄肉部の下側に当該薄肉部より厚く形成され、前記ボトルキャップの打栓時に前記薄肉部に亀裂が生じることを防ぐ強度保持部と、を備え、
前記ボトルキャップの開栓時に、前記薄肉部を起点として前記エンドリングが破断するよう構成したペットボトル容器が提供される。
【００１０】
上記ペットボトル容器において、
前記脆弱部は、周方向に所定の間隔で形成され前記キャップ本体と前記エンドリングとを連結する複数の連結部を有し、
前記薄肉部付近の２つの前記連結部のうち少なくとも一方を、他の前記連結部よりも太く形成してもよい。
【００１１】
上記ペットボトル容器において、
前記薄肉部付近の２つの前記連結部のうち開栓方向側の前記連結部を、他の前記連結部と比べて最も太く形成してもよい。
【００１２】
上記ペットボトル容器において、
前記薄肉部の上端に、前記亀裂の起点となる切欠部を形成してもよい。
【００１３】
また、本発明では、
円筒部と、前記円筒部の外周面に形成される雄ねじ部と、前記円筒部の外周面における前記雄ねじ部の下方に形成される上フランジ部と、前記円筒部の外周面における前記上フランジ部の下方に形成される下フランジ部と、を有するボトル本体と、
前記雄ねじ部と螺合する雌ねじ部が内周面に形成されるキャップ本体と、前記雌ねじ部の下方に配置され前記上フランジ部と干渉する干渉部が内周面に形成されるエンドリングとが、脆弱部を介して一体に成形されているボトルキャップと、を備え、
前記ボトルキャップを開栓方向に回転させると、前記キャップ本体が前記ボトル本体から離脱し、前記エンドリングが前記ボトル本体に残留するペットボトル容器において、
前記エンドリングの周方向所定位置の上端側に形成され、前記ボトルキャップの開栓時に前記エンドリングに生じる亀裂の起点となる切欠部と、
前記切欠部の下側に形成され、前記ボトルキャップの打栓時に前記エンドリングに亀裂が生じることを防ぐ強度保持部と、を備え、
前記ボトルキャップの開栓時に、前記切欠を起点として前記エンドリングが破断するよう構成したペットボトル容器が提供される。
【００１４】
さらに、本発明では、
ペットボトル本体の雄ねじ部と螺合する雌ねじ部が内周面に形成されるキャップ本体と、前記雌ねじ部の下方に配置され前記ペットボトル本体のフランジ部と干渉する干渉部が内周面に形成されるエンドリングとが、脆弱部を介して一体に成形されているボトルキャップにおいて、
前記エンドリングの周方向所定位置の上端側に当該エンドリングの他の部分よりも薄く形成され、前記ボトルキャップの開栓時に亀裂が生じる薄肉部と、
前記薄肉部の下側に当該薄肉部より厚く形成され、前記ボトルキャップの打栓時に前記薄肉部に亀裂が生じることを防ぐ強度保持部と、を備えたボトルキャップが提供される。
【００１５】
上記ボトルキャップにおいて、
前記脆弱部は、周方向に所定の間隔で形成され前記キャップ本体と前記エンドリングとを連結する複数の連結部を有し、
前記薄肉部付近の２つの前記連結部のうち少なくとも一方を、他の前記連結部よりも太く形成してもよい。
【００１６】
上記ボトルキャップにおいて、
前記薄肉部付近の２つの前記連結部のうち開栓方向側の前記連結部を、他の前記連結部と比べて最も太く形成してもよい。
【００１７】
上記ボトルキャップにおいて、
前記薄肉部の上端に、前記亀裂の起点となる切欠部を形成してもよい。
【００１８】
さらにまた、本発明では、
ボトル本体の雄ねじ部と螺合する雌ねじ部が内周面に形成されるキャップ本体と、前記雌ねじ部の下方に配置され前記ボトル本体の上フランジ部と干渉する干渉部が内周面に形成されるエンドリングとが、脆弱部を介して一体に成形され、
開栓方向に回転させると、前記キャップ本体が前記ボトル本体から離脱し、前記エンドリングが前記ボトル本体に残留するボトルキャップにおいて、
前記エンドリングの周方向所定位置の上端側に形成され、前記ボトルキャップの開栓時に前記エンドリングに生じる亀裂の起点となる切欠部と、
前記切欠部の下側に形成され、前記ボトルキャップの打栓時に前記エンドリングに亀裂が生じることを防ぐ強度保持部と、を備え、
前記ボトルキャップの開栓時に、前記切欠を起点として前記エンドリングが破断するよう構成したボトルキャップが提供される。
【発明の効果】
【００１９】
本発明によれば、打栓時にキャップ本体とエンドリングが離隔することなくボトルキャップをボトル本体に固定することができ、開栓時にはエンドリングを破断させてボトル本体からの離脱を容易にして、エンドリングをボトル本体と分別して回収することができる。
【図面の簡単な説明】
【００２０】
【図１】図１は、本発明の一実施形態を示すペットボトル容器の外観斜視図である。
【図２】図２はペットボトル容器の外観斜視図であり、ボトルキャップのキャップ本体が、エンドリングを残してボトル本体から離脱した状態を示している。
【図３】図３はペットボトル容器の拡大断面図であり、（ａ）はボトルキャップによりボトル本体が密封された状態を示し、（ｂ）はボトルキャップのキャップ本体が、エンドリングを残してボトル本体から離脱した状態を示している。
【図４】図４はエンドリングの説明図であり、（ａ）は正面図、（ｂ）は平面図、（ｃ）は底面図を示している。
【図５Ａ】図５Ａはペットボトル容器の拡大正面図であり、（ａ）はボトルキャップによりボトル本体が密封された状態を示し、（ｂ）はボトルキャップを開栓方向へ回してキャップ本体がエンドリングからの離脱を開始した状態を示し、（ｃ）はキャップ本体とエンドリングを連結する各連結部が延伸した状態を示している。
【図５Ｂ】図５Ｂはペットボトル容器の拡大正面図であり、（ｄ）はキャップ本体とエンドリングが薄肉部に隣接する最も太い連結部のみにより連結されている状態を示し、（ｅ）はボトルキャップのキャップ本体が、エンドリングを残してボトル本体から離脱した状態を示している。
【図６】図６は変形例を示すエンドリングの説明図であり、（ａ）は正面図、（ｂ）は平面図を示している。
【図７】図７は変形例を示すエンドリングの説明図であり、（ａ）は正面図、（ｂ）は平面図を示している。
【図８】図８は変形例を示すエンドリングの説明図であり、（ａ）は正面図、（ｂ）は平面図を示している。
【図９】図９は変形例を示すエンドリングの説明図であり、（ａ）は正面図、（ｂ）は平面図を示している。
【図１０】図１０は変形例を示すエンドリングの説明図であり、（ａ）は正面図、（ｂ）は平面図を示している。
【図１１】図１１は変形例を示すエンドリングの正面説明図である。
【発明を実施するための形態】
【００２１】
図１から図５は本発明の一実施形態を示し、図１は、本発明の一実施形態を示すペットボトル容器の外観斜視図である。
【００２２】
図１に示すように、このペットボトル容器１は、飲料等を収容するボトル本体２と、ボトル本体２と螺合可能なボトルキャップ３と、を有する。ボトル本体２は、例えばポリエチレンテレフタレートを主材料とした透明な樹脂材料からなる。尚、ボトル本体２は不透明な樹脂から構成することもできる。ボトルキャップ３は、例えばポリプロピレン、ポリエチレン等を主材料とした樹脂材料からなる。本実施形態においては、ボトルキャップ３はポリプロピレンである。
【００２３】
図２はペットボトル容器の外観斜視図であり、ボトルキャップのキャップ本体が、エンドリングを残してボトル本体から離脱した状態を示している。
【００２４】
ボトル本体２は、下端が閉塞した筒状の胴部４と、胴部４の上部に窄んで形成され上端に開口５１を有する円筒部５と、を有し、円筒部５の開口５１を通じて胴部４の内外が連通するようになっている。本実施形態においては、胴部４は角筒状に、円筒部５は円筒状に形成される。尚、胴部４の形状は任意である。
【００２５】
円筒部５の外周には、ボトルキャップ３と螺合可能な雄ねじ部５２と、雄ねじ部５２の下方に形成される上フランジ部５３と、上フランジ部５３の下方に形成される下フランジ部５４と、が形成される。本実施形態においては、雄ねじ部５２は螺旋状に連続して形成されるが、一部が分断されていてもよい、また、本実施形態においては、上フランジ部５３及び下フランジ部５４は、それぞれ連続的に形成されるが、一部が分断されていてもよい。下フランジ部５４は、上フランジ部５３よりも径が大きく形成される。
【００２６】
図３はペットボトル容器の拡大断面図であり、（ａ）はボトルキャップによりボトル本体が密封された状態を示し、（ｂ）はボトルキャップのキャップ本体が、エンドリングを残してボトル本体から離脱した状態を示している。
【００２７】
ボトルキャップ３は、上端を閉塞した筒状に形成され、上側のキャップ本体３１と、キャップ本体３１の下側に設けられるエンドリング３２と、キャップ本体３１とエンドリング３２の境界に形成される脆弱部３３と、を有する。すなわち、キャップ本体３１とエンドリング３２とが脆弱部３３を介して一体に成形されている。キャップ本体３１は、内周に形成され、雄ねじ部５２と螺合可能な雌ねじ部３４を有する。本実施形態においては、脆弱部３３は、周方向にわたって一定間隔で形成された連結部３３ａ，３３ｂ，３３ｃにより構成される。
【００２８】
図３（ｂ）に示すように、ボトルキャップ３がボトル本体２に固定された状態から、ボトルキャップ３を開栓方向に回すと、キャップ本体３１が上昇する一方、エンドリング３２の上昇が上フランジ部５３により阻まれる。これにより、脆弱部３３の各連結部３３ａ，３３ｂ，３３ｃが延伸しつつ切断され、エンドリング３２をボトル本体２側に残留させた状態でキャップ本体３１がボトル本体２から離脱するようになっている。
【００２９】
エンドリング３２は、内周面に突出するよう形成された干渉部３５を有している。本実施形態においては、干渉部３５は、エンドリング３２に等間隔に形成され、エンドリング３２の下端から上方へ向かって内側に傾倒して延びる。干渉部３５が上フランジ部５３と干渉することにより、エンドリング３２の上方への移動が阻止される。
【００３０】
図４はエンドリングの説明図であり、（ａ）は正面図、（ｂ）は平面図、（ｃ）は底面図を示している。ここで、図４（ａ）及び（ｂ）はエンドリングの破断前の状態を示し、図４（ｃ）はエンドリングの破断後の状態を示している。尚、図４（ａ）及び（ｂ）については、エンドリングが破断する前の図であり、実際にはキャップ本体が連結されているが、説明のためにキャップ本体を省略して図示している。
【００３１】
図４（ａ）に示すように、エンドリング３２には、キャップ本体３１の離脱時にエンドリング３２の破断の起点となる薄肉部３６が形成されている。薄肉部３６は、エンドリング３２の周方向所定位置の上端側に、エンドリング３２の他の部分よりも薄く形成される。本実施形態においては、薄肉部３６は、正面視にて概略逆三角形状に形成される。薄肉部３６の下側には、当該薄肉部３６より厚い強度保持部３７が形成される。本実施形態においては、強度保持部３７は、エンドリング３２の他の部分と同じ厚さに形成される。
【００３２】
図４（ｂ）に示すように、エンドリング３２には、連結部３３ａ，３３ｂ，３３ｃが等間隔で形成される。本実施形態においては、薄肉部３６に隣接する連結部３３ｂ，３３ｃが他の連結部３３ａと比べて太く形成される。より具体的には、薄肉部３６の周方向開栓方向（図４（ｂ）中、時計回り方向）に隣接する３３ｂが最も太く形成され、薄肉部３６の周方向閉栓方向に隣接する３３ｃはこれに次ぐ太さに形成される。
【００３３】
具体的には、エンドリング３２の直径は外径で２５ｍｍ〜３２ｍｍであり、エンドリング３２の厚さｔ１は０．５ｍｍ〜１．５ｍｍであり、薄肉部３６の厚さｔ２は０．０５ｍｍ〜０．５ｍｍとなっている。本実施形態においては、強度保持部３７の厚さはエンドリング３２と同じであるが、０．５ｍｍ〜１．０ｍｍとすることができる。これにより、ボトルキャップ３の材質がポリプロピレンかポリエチレンである場合に、ボトルキャップ３の開栓時に的確に薄肉部３６に亀裂を生じさせることができる。
【００３４】
また、強度保持部３７の上下方向の距離ｔ３は、０．５ｍｍ〜２．０ｍｍとなっている。これにより、ボトルキャップ３の材質がポリプロピレンかポリエチレンである場合に、ボトルキャップ３の打栓時に薄肉部３６に亀裂が生じることを防止することができる。
【００３５】
図５Ａはペットボトル容器の拡大正面図であり、（ａ）はボトルキャップによりボトル本体が密封された状態を示し、（ｂ）はボトルキャップを開栓方向へ回してキャップ本体がエンドリングからの離脱を開始した状態を示し、（ｃ）はキャップ本体とエンドリングを連結する各連結部が延伸した状態を示している。
また、図５Ｂはペットボトル容器の拡大正面図であり、（ｄ）はキャップ本体とエンドリングが薄肉部に隣接する最も太い連結部のみにより連結されている状態を示し、（ｅ）はボトルキャップのキャップ本体が、エンドリングを残してボトル本体から離脱した状態を示している。
【００３６】
以上のように構成されたペットボトル容器１は、ボトル本体２及びボトルキャップ３を別個に成形し、ボトル本体２に飲料が収容された状態で、ボトルキャップ３をボトル本体２の円筒部５に圧入することで密封される。この作業は「打栓」と呼ばれ、打栓時にボトルキャップ３の干渉部５が円筒部５の上フランジ部５３を乗り越えることとなる。このとき、ボトルキャップ３のエンドリング３２に拡開方向の負荷が加わるが、強度保持部３７により当該負荷に抗することができる。
【００３７】
そして、図５Ａ（ａ）に示す初期状態から、キャップ本体３１を開栓方向に回すと、キャップ本体３１が上昇する一方、エンドリング３２の上昇が上フランジ部５３により阻まれる。このとき、図５Ａ（ｂ）に示すように脆弱部３３の各連結部３３ａ，３３ｂ，３３ｃが延伸し、図５Ａ（ｃ）に示すように薄肉部３６の破断が進行していく。このとき、薄肉部３６に隣接する連結部３３ｂ，３３ｃは通常よりも太く形成されているが、全ての連結部３３ａ，３３ｂ，３３ｃに負荷が分散するので、開栓に支障をきたすようなことはない。
【００３８】
そして、図５Ｂ（ｄ）に示すように、まず、薄肉部３６に隣接しない各連結部３３ａが破断していく。ここで、薄肉部３６に隣接する連結部３３ｂ，３３ｃが他よりも太く形成されていることから、当該連結部３３ｂ，３３ｃの破断は他の連結部３３ａの後となる。従って、最終的にはエンドリング３２のうち薄肉部３６に負荷が集中し、薄肉部３６に亀裂を確実に生じさせることができる。特に、薄肉部３６の周方向開栓方向側に隣接する連結部３３ｂを一番太くしたので、薄肉部３６の周方向について引っ張り方向に負荷を加えて、比較的小さい力でエンドリング３２を破断することができる。このようにして、図５Ｂ（ｅ）に示すように、破断したエンドリング３２をボトル本体２側に残した状態でキャップ本体３１が外されるようになっている。
【００３９】
従って、容器処理者は、エンドリング３２をボトル本体２から簡単容易に取り外すことができ、ボトル本体２とエンドリング３２の分別回収が可能となる。また、打栓時にエンドリング３２が破損することもなく、ペットボトル容器１の気密性が損なわれることもない。
【００４０】
尚、前記実施形態においては、薄肉部３６が正面視にて略逆三角形状を呈するものを示したが、例えば図６に示すように略Ｕ字状を呈するようにしてもよく、その形状は任意である。ただし、薄肉部３６，１３６は、略逆三角形状や略Ｕ字状のように下方へ向かって窄む形状であると、エンドリング３２，１３２の破断モードを制御しやすく望ましい。
【００４１】
また、例えば図７に示すように、前記実施形態のエンドリング１３２にタブ２３８を設けてもよい。これにより、使用者は、タブ２３８に指をかけることができ、エンドリング１３２のボトル本体２側からの離脱が容易になる。タブ２３８は、エンドリング１３２の下端側の強度保持部３７の近傍に設けることが望ましい。
【００４２】
また、前記実施形態においては、薄肉部３６に隣接する連結部３３ｂ，３３ｃを、他の連結部３３ａよりも太くしたものを示したが、各連結部の太さは成形上の要件等に応じて任意に変更することができ、開栓時に薄肉部３６に十分な負荷が加わる構成であれば、例えば全ての連結部を同じ太さとしても差し支えない。
【００４３】
また、例えば図８に示すように、薄肉部３６に直接連結部３３ｂを設けるようにしてもよい。この場合、薄肉部３６の周方向中央は亀裂の起点となるので、薄肉部３６の周方向中央を避けて連結部３３ｂを形成することが好ましい。図８に示すように、連結部３３ｂは、薄肉部３６の開栓方向側に形成することがさらに好ましい。
【００４４】
さらに、例えば図９に示すように、薄肉部３６の上端に、亀裂の起点となる切欠部３６ａを形成してもよい。図９の切欠部３６ａは、正面視にて略逆三角形状を呈し、薄肉部３６の周方向中央に形成される。尚、切欠部３６ａは、略Ｕ字状、略四角形状、略半円状等としてもよいし、略直線状として切り込みのようにすることもできる。
【００４５】
さらにまた、例えば図１０に示すように、薄肉部３６に代えて切欠３３６としてもよい。図１０においては、切欠３３６が正面視にて略逆三角形状を呈するものを示しているが、例えば略Ｕ字状を呈するようにしてもよく、その形状は任意である。ただし、切欠３３６は、略逆三角形状や略Ｕ字状のように下方へ向かって窄む形状であると、エンドリング３３２の破断モードを制御しやすく望ましい。
【００４６】
また、前記実施形態においては、強度保持部３７がエンドリング３２の他の部分と同じ厚さに形成されるものを示したが、薄肉部３６より厚く形成されていればその厚さは任意である。例えば図１１に示すように、強度保持部４３７の厚さを、薄肉部３６より厚く、エンドリング３２より薄くすることもできる。尚、強度保持部４３７を、薄肉部３６側から下方へ向かって厚くするようにしてもよい。図１１では、強度保持部４３７を薄肉部３６の下端から下方へ延びるよう形成している。これにより、強度保持部４３７における破断モードを的確に制御することができる。
【００４７】
また、前記実施形態においては、薄肉部３６と周方向に隣接する２つの連結部３３ｂ，３３ｃの両方について、他の連結部３３ａよりも太く形成したものを示したが、薄肉部３６と周方向に隣接する連結部３３ｂ，３３ｃの一方を他の連結部３３ａよりも太くしてもよい。薄肉部３６と周方向に隣接する少なくとも一方の連結部３３ｂ，３３ｃを他の連結部３３ａよりも太くすることにより、薄肉部３６に負荷を集中させることができる。
【００４８】
また、前記実施形態においては、脆弱部３３を連結部３３ａ，３３ｂ，３３ｃにより構成したものを示したが、脆弱部３３は他の構成であってもよい。さらに、ボトル本体２の胴部４を角筒状に形成したものを示したが、例えば円筒状のような他の筒状であってもよく、ボトル本体２及びボトルキャップ３の具体的形状も適宜に変更可能であることは勿論である。
【００４９】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【符号の説明】
【００５０】
１  ペットボトル容器
２  ボトル本体
３  ボトルキャップ
４  胴部
５  円筒部
３１  キャップ本体
３２  エンドリング
３３  脆弱部
３３ａ 連結部
３３ｂ 連結部
３３ｃ 連結部
３４  雌ねじ部
３５  干渉部
３６  薄肉部
３６ａ 切欠部
３７  強度保持部
５１  開口
５２  雄ねじ部
５３  上フランジ部
５４  下フランジ部
１３２ エンドリング
１３６ 薄肉部
２３２ エンドリング
２３８ タブ
３３２ エンドリング
３３６ 切欠
４３２ エンドリング
４３７ 強度保持部
【図１】
2013216356.tif 000003
【図２】
2013216356.tif 000004
【図３】
2013216356.tif 000005
【図４】
2013216356.tif 000006
【図５Ａ】
2013216356.tif 000007
【図５Ｂ】
2013216356.tif 000008
【図６】
2013216356.tif 000009
【図７】
2013216356.tif 000010
【図８】
2013216356.tif 000011
【図９】
2013216356.tif 000012
【図１０】
2013216356.tif 000013
【図１１】
2013216356.tif 000014
【手続補正書】
【提出日】平成24年7月13日(2012.7.13)
【手続補正１】
【補正対象書類名】特許請求の範囲
【補正対象項目名】全文
【補正方法】変更
【補正の内容】
【特許請求の範囲】
【請求項１】
円筒部と、前記円筒部の外周面に形成される雄ねじ部と、前記円筒部の外周面における前記雄ねじ部の下方に形成される上フランジ部と、前記円筒部の外周面における前記上フランジ部の下方に形成される下フランジ部と、を有するボトル本体と、
前記雄ねじ部と螺合する雌ねじ部が内周面に形成されるキャップ本体と、前記雌ねじ部の下方に配置され前記上フランジ部と干渉する干渉部が内周面に形成されるエンドリングとが、脆弱部を介して一体に成形されているボトルキャップと、を備え、
前記ボトルキャップを開栓方向に回転させると、前記キャップ本体が前記ボトル本体から離脱し、前記エンドリングが前記ボトル本体に残留するペットボトル容器において、
前記エンドリングの周方向所定位置の上端側に当該エンドリングの他の部分よりも薄く形成され、前記ボトルキャップの開栓時に亀裂が生じる薄肉部と、
前記薄肉部の下側に当該薄肉部より厚く形成され、前記ボトルキャップの打栓時に前記薄肉部に亀裂が生じることを防ぐ強度保持部と、を備え、
前記薄肉部は、正面視にて略逆正三角形状を呈し、
前記ボトルキャップの開栓時に、前記薄肉部を起点として前記エンドリングが破断するよう構成したペットボトル容器。
【請求項２】
前記脆弱部は、周方向に所定の間隔で形成され前記キャップ本体と前記エンドリングとを連結する複数の連結部を有し、
前記薄肉部の開栓方向側に隣接する前記連結部を、他の前記連結部と比べて最も太く形成した請求項１に記載のペットボトル容器。
【請求項３】
前記ボトルキャップの開栓時に、前記薄肉部の開栓方向側に隣接する前記連結部よりも他の前記連結部の方が早く破断し、前記上フランジ部により上昇が阻まれる前記エンドリングの前記薄肉部付近を、前記薄肉部の開栓方向側に隣接する前記連結部で上方向に引っ張ることで前記エンドリングを曲げて、前記強度保持部を破断するよう構成した請求項２に記載のペットボトル容器。
【請求項４】
前記薄肉部の上端に、前記亀裂の起点となる切欠部を形成した請求項１から３のいずれか１項に記載のペットボトル容器。
【請求項５】
前記ボトルキャップの材質は、ポリプロピレンまたはポリエチレンであり、
前記強度保持部の上下方向の距離は、０．５ｍｍ〜２．０ｍｍであり、
前記強度保持部の厚さは、０．５ｍｍ〜１．０ｍｍである請求項１から４のいずれか１項に記載のペットボトル容器。
【請求項６】
ペットボトル本体の雄ねじ部と螺合する雌ねじ部が内周面に形成されるキャップ本体と、前記雌ねじ部の下方に配置され前記ペットボトル本体のフランジ部と干渉する干渉部が内周面に形成されるエンドリングとが、脆弱部を介して一体に成形されているボトルキャップにおいて、
前記エンドリングの周方向所定位置の上端側に当該エンドリングの他の部分よりも薄く形成され、前記ボトルキャップの開栓時に亀裂が生じる薄肉部と、
前記薄肉部の下側に当該薄肉部より厚く形成され、前記ボトルキャップの打栓時に前記薄肉部に亀裂が生じることを防ぐ強度保持部と、を備え、
前記薄肉部は、正面視にて略逆正三角形状を呈するボトルキャップ。
【請求項７】
前記脆弱部は、周方向に所定の間隔で形成され前記キャップ本体と前記エンドリングとを連結する複数の連結部を有し、
前記薄肉部の開栓方向側に隣接する前記連結部を、他の前記連結部と比べて最も太く形成した請求項６に記載のボトルキャップ。
【請求項８】
前記ボトルキャップの開栓時に、前記薄肉部の開栓方向側に隣接する前記連結部よりも他の前記連結部の方が早く破断し、前記上フランジ部により上昇が阻まれる前記エンドリングの前記薄肉部付近を、前記薄肉部の開栓方向側に隣接する前記連結部で上方向に引っ張ることで前記エンドリングを曲げて、前記強度保持部を破断するよう構成した請求項７に記載のボトルキャップ。
【請求項９】
前記薄肉部の上端に、前記亀裂の起点となる切欠部を形成した請求項６から８のいずれか１項に記載のボトルキャップ。
【請求項１０】
材質がポリプロピレンまたはポリエチレンであり、
前記強度保持部の上下方向の距離は、０．５ｍｍ〜２．０ｍｍであり、
前記強度保持部の厚さは、０．５ｍｍ〜１．０ｍｍである請求項６から９のいずれか１項に記載のボトルキャップ。
【手続補正書】
【提出日】平成24年8月29日(2012.8.29)
【手続補正１】
【補正対象書類名】特許請求の範囲
【補正対象項目名】全文
【補正方法】変更
【補正の内容】
【特許請求の範囲】
【請求項１】
円筒部と、前記円筒部の外周面に形成される雄ねじ部と、前記円筒部の外周面における前記雄ねじ部の下方に形成される上フランジ部と、前記円筒部の外周面における前記上フランジ部の下方に形成される下フランジ部と、を有するボトル本体と、
前記雄ねじ部と螺合する雌ねじ部が内周面に形成されるキャップ本体と、前記雌ねじ部の下方に配置され前記上フランジ部と干渉する干渉部が内周面に形成されるエンドリングとが、脆弱部を介して一体に成形されているボトルキャップと、を備え、
前記ボトルキャップを開栓方向に回転させると、前記キャップ本体が前記ボトル本体から離脱し、前記エンドリングが前記ボトル本体に残留するペットボトル容器において、
前記エンドリングの周方向所定位置の上端側に当該エンドリングの他の部分よりも薄く形成され、前記ボトルキャップの開栓時に亀裂が生じる薄肉部と、
前記薄肉部の下側に当該薄肉部より厚く形成され、前記ボトルキャップの打栓時に前記薄肉部に亀裂が生じることを防ぐ強度保持部と、を備え、
前記薄肉部は、正面視にて略逆正三角形状を呈し、
前記ボトルキャップの開栓時に、前記薄肉部を起点として前記エンドリングが破断するよう構成したペットボトル容器。
【請求項２】
前記脆弱部は、周方向に所定の間隔で形成され前記キャップ本体と前記エンドリングとを連結する複数の連結部を有し、
前記薄肉部の開栓方向側に隣接する前記連結部を、他の前記連結部と比べて最も太く形成した請求項１に記載のペットボトル容器。
【請求項３】
前記ボトルキャップの開栓時に、前記薄肉部の開栓方向側に隣接する前記連結部よりも他の前記連結部の方が早く破断し、前記上フランジ部により上昇が阻まれる前記エンドリングの前記薄肉部付近を、前記薄肉部の開栓方向側に隣接する前記連結部で上方向に引っ張ることで前記エンドリングを曲げて、前記強度保持部を破断するよう構成した請求項２に記載のペットボトル容器。
【請求項４】
前記薄肉部の上端に、前記亀裂の起点となる切欠部を形成した請求項１から３のいずれか１項に記載のペットボトル容器。
【請求項５】
前記ボトルキャップの材質は、ポリプロピレンまたはポリエチレンであり、
前記強度保持部の上下方向の距離は、０．５ｍｍ〜２．０ｍｍであり、
前記強度保持部の厚さは、０．５ｍｍ〜１．０ｍｍである請求項１から４のいずれか１項に記載のペットボトル容器。
【請求項６】
ペットボトル本体の雄ねじ部と螺合する雌ねじ部が内周面に形成されるキャップ本体と、前記雌ねじ部の下方に配置され前記ペットボトル本体のフランジ部と干渉する干渉部が内周面に形成されるエンドリングとが、脆弱部を介して一体に成形されているボトルキャップにおいて、
前記エンドリングの周方向所定位置の上端側に当該エンドリングの他の部分よりも薄く形成され、前記ボトルキャップの開栓時に亀裂が生じる薄肉部と、
前記薄肉部の下側に当該薄肉部より厚く形成され、前記ボトルキャップの打栓時に前記薄肉部に亀裂が生じることを防ぐ強度保持部と、を備え、
前記薄肉部は、正面視にて略逆正三角形状を呈するボトルキャップ。
【請求項７】
前記脆弱部は、周方向に所定の間隔で形成され前記キャップ本体と前記エンドリングとを連結する複数の連結部を有し、
前記薄肉部の開栓方向側に隣接する前記連結部を、他の前記連結部と比べて最も太く形成した請求項６に記載のボトルキャップ。
【請求項８】
前記ボトルキャップの開栓時に、前記薄肉部の開栓方向側に隣接する前記連結部よりも他の前記連結部の方が早く破断し、前記フランジ部により上昇が阻まれる前記エンドリングの前記薄肉部付近を、前記薄肉部の開栓方向側に隣接する前記連結部で上方向に引っ張ることで前記エンドリングを曲げて、前記強度保持部を破断するよう構成した請求項７に記載のボトルキャップ。
【請求項９】
前記薄肉部の上端に、前記亀裂の起点となる切欠部を形成した請求項６から８のいずれか１項に記載のボトルキャップ。
【請求項１０】
材質がポリプロピレンまたはポリエチレンであり、
前記強度保持部の上下方向の距離は、０．５ｍｍ〜２．０ｍｍであり、
前記強度保持部の厚さは、０．５ｍｍ〜１．０ｍｍである請求項６から９のいずれか１項に記載のボトルキャップ。